(57)【要約】      （修正有）【課題】電子機器の破損を防止することができるランドセルを提供する。【解決手段】ランドセル１０は、左右一対の主襠部２３と、前仕切部２２と、底部２４と、背部２１と、を有する主収納部２０と、主収納部２０の前仕切部２２側に配設され、左右一対の副襠部４３と、副前部４２と、副底部４４と、前仕切部２２と、で構成され、主収納部２０より容積の小さい副収納部４０と、を備える。副収納部４０内に、電子機器Ｅを収納可能な電子機器収納部４６が配設されている。【選択図】図２
0003231994.tif 000002
【実用新案登録請求の範囲】
【請求項１】
左右一対の主襠部と、前仕切部と、底部と、背部と、を有する主収納部と、
前記主収納部の前記前仕切部側に配設され、左右一対の副襠部と、副前部と、副底部と、前記前仕切部と、で構成され、前記主収納部より容積の小さい副収納部と、
を備えるランドセルであって、
前記副収納部内に、電子機器を収納可能な電子機器収納部が配設されていることを特徴とするランドセル。
【請求項２】
前記副収納部には、前記副収納部内を、前後方向において区画する区画壁が配設され、
平面視において、前記前仕切部と前記区画壁との間の領域が、前記電子機器収納部とされていることを特徴とする請求項１記載のランドセル。
【請求項３】
前記前仕切部内と、前記背部内と、に配される芯部材の剛性が同じであることを特徴とする請求項２記載のランドセル。
【請求項４】
前記区画壁内と前記前仕切部内には、緩衝材が配設されていることを特徴とする請求項２又は３記載のランドセル。
【考案の詳細な説明】
【技術分野】
【０００１】
本考案は、電子機器を収納可能なランドセルに関するものである。
【背景技術】
【０００２】
従来の一般的なランドセルでは、容積の大きい主収納部と、主収納部より容積の小さい副収納部と、を備えていた。
【考案の概要】
【考案が解決しようとする課題】
【０００３】
近年の情報技術の進化により、教育現場においても、ノートパソコン、タブレット型端末等の電子機器が用いられるようになっている。
【０００４】
しかし、上記の一般的なランドセルでは、電子機器の特別な収納スペースを考慮していないので、主収納部に教科書、ノート等と一緒に収納することにより、電子機器が破損するおそれがあった。
【０００５】
本考案は、上記事情に鑑み、電子機器の破損を防止することができるランドセルを提供することを目的とする。
【課題を解決するための手段】
【０００６】
請求項１記載の考案では、左右一対の主襠部と、前仕切部と、底部と、背部と、を有する主収納部と、
前記主収納部の前記前仕切部側に配設され、左右一対の副襠部と、副前部と、副底部と、前記前仕切部と、で構成され、前記主収納部より容積の小さい副収納部と、
を備えるランドセルであって、
前記副収納部内に、電子機器を収納可能な電子機器収納部が配設されている。
【０００７】
これによれば、主収納部より容積の小さい副収納部内に電子機器収納部を配設することで、主収納部に収納される教科書、ノート等との接触を無くし、電子機器の移動を規制可能となるので、電子機器の破損を防止することができる。
【０００８】
また、前記副収納部には、前記副収納部内を、前後方向において区画する区画壁が配設され、
平面視において、前記前仕切部と前記区画壁との間の領域が、前記電子機器収納部とされている。
【０００９】
これによれば、主収納部と、副収納部の電子機器収納部以外の領域で、外部からの衝撃を低減させることが可能となるので、電子機器の破損を防止することに寄与する。
【００１０】
また、前記前仕切部内と、前記背部内と、に配される芯部材の剛性が同じである。
【００１１】
これによれば、剛性が要求される背部内に配される芯部材と、同じ剛性を有する芯部材を、前仕切部内に配することで、主収納部に収納される教科書、ノート等からの衝撃を低減させることができる。
【００１２】
また、前記区画壁内と前記前仕切部内には、緩衝材が配設されている。
【００１３】
これによれば、緩衝材が電子機器のディスプレイと対向することになるので、電子機器のディスプレイを保護することが可能となる。
【図面の簡単な説明】
【００１４】
【図１】本考案の一実施形態としてのランドセルの斜視図である。
【図２】同実施形態の縦断面図である。
【図３】同実施形態の横断面図である。
【考案を実施するための形態】
【００１５】
本考案のランドセルの一実施形態について図面に基づいて説明する。以下の説明において、図面に付される矢印は、Ｆを前、Ｂを後ろ、Ｒを右、Ｌを左、Ｕを上、Ｄを下、とする。
【００１６】
ランドセル１０は、芯部材（後述する背部２１では、発泡ポリプロピレン製、その他の部分では、ポリエステル不織布のアクリル系含浸ボード）と、芯部材を覆う天然皮革又は合成皮革で形成されて、図１〜３に示すとおり、主収納部２０と、副収納部４０と、前ポケット部６０と、蓋板部８０と、を備えている。
【００１７】
主収納部２０は、使用者が背負った時にその背中と当接する背部２１と、背部２１と空間を介して対向する前仕切部２２と、背部２１と前仕切部２２とを連結する左右一対の主襠部２３、２３と、下部を閉塞する底部２４と、を備えている。
【００１８】
主収納部２０は、上部が開口する開口部２０ａを有する箱状に形成されている。
【００１９】
背部２１は、後側が内部に図示しないクッション等を有する構造とされ、左右の端縁が各主襠部２３、２３とそれぞれ連設され、下端縁で底部２４と連設されている。
【００２０】
前仕切部２２は、左右の端縁が各主襠部２３、２３、後述する副襠部４３と連設され、下端縁で底部２４、後述する副底部４４と連設されている。前仕切部２２内の前側の部分には、緩衝材としての軟質ウレタンフォーム２２ａが配設されている。
【００２１】
各主襠部２３、２３は、上端縁が上方向に円弧状に突出して形成され、前端縁で前仕切部２２、副襠部４３と連設され、後端縁で背部２１と連設され、下端縁で底部２４と連設されている。
【００２２】
底部２４は、左右の端縁が各主襠部２３、２３と連設され、前端縁で前仕切部２２と連設され、後端縁で背部２１と連設されている。
【００２３】
副収納部４０は、前仕切部２２と、左右一対の副襠部４３、４３と、副前部４２と、副底部４４と、で構成され、主収納部２０より容積が小さく形成されている。
【００２４】
各副襠部４３は、前端縁で副前部４２と連設され、後端縁で前仕切部２２、主襠部２３、２３と連設され、下端縁で副底部４４と連設されている。
【００２５】
副前部４２は、左右の端縁が各副襠部４３、４３と連設され、下端縁で副底部４４と連設されている。
【００２６】
副底部４４は、左右の端縁が各副襠部４３、４３と連設され、前端縁で副前部４２と連設され、後端縁で底部２４、前仕切部２２と連設されている。
【００２７】
副収納部４０には、副収納部４０内を、前後方向において区画する区画壁４５が配設されている。
【００２８】
区画壁４５は、上下方向の長さが、副前部４２より短く形成され、左右の端部が前仕切部２２と副襠部４３、４３に挟まれた状態で、連設されている。区画壁４５内の前仕切部側の部分には、緩衝材として軟質ウレタンフォーム４５ａが、配設されている。
【００２９】
本実施形態では、平面視において、前仕切部２２と区画壁４５との間の領域が、電子機器収納部４６とされている。よって、副収納部４０内に、電子機器Ｅを収納可能な電子機器収納部４６が配設されていることになる。
【００３０】
副収納部４０の上部は、開口する開口部４０ａとされ、開口部４０ａにファスナー４７が取り付けられ、ファスナー４７により開口部４０ａの開閉を可能とされている。
【００３１】
副前部４２の前側には、前ポケット部６０が設けられ、小物を収納可能とされている。
【００３２】
蓋板部８０は、一端が背部２１の上端縁と連設され、背部２１の上端縁から主収納部２０の開口部２０ａ、副収納部４０、前ポケット部６０を覆い、底部２４に至るように配設されている（図２、３では省略している）。
【００３３】
ランドセル１０の使用態様を説明する。蓋板部８０を背部２１側に移動させ、ファスナー４７により副収納部４０の開口部４０ａを開く。開口部４０ａから電子機器Ｅとしてのタブレット端末を、副収納部４０の前仕切部２２と区画壁４５との間の領域、換言すれば、電子機器収納部４６に進入させる。このとき、電子機器Ｅのディスプレイ部分をどちら側に向けても、前仕切部２２、区画壁４５のいずれかの緩衝材の軟質ウレタンフォーム２２ａ、４５ａにより、衝撃から保護することができる。
【００３４】
そして、ファスナー４７で開口部４０ａを閉じ、蓋板部８０で、主収納部２０の開口部２０ａ、副収納部４０、前ポケット部６０を覆うことで、ランドセル１０を背負って移動することが可能となる。
【００３５】
本考案のランドセルでは、左右一対の主襠部２３、２３と、前仕切部２２と、底部２４と、背部２１と、を有する主収納部２０と、
主収納部２０の前仕切部２２側に配設され、左右一対の副襠部４３、４３と、副前部４２と、副底部４４と、前仕切部２２と、で構成され、主収納部２０より容積の小さい副収納部４０と、
を備えるランドセルであって、
副収納部４０内に、電子機器Ｅを収納可能な電子機器収納部４６が配設されている。
【００３６】
これによれば、主収納部２０より容積の小さい副収納部４０内に電子機器収納部４６を配設することで、主収納部２０に収納される教科書、ノート等との接触を無くし、電子機器Ｅの移動を規制可能となるので、電子機器Ｅの破損を防止することができる。
【００３７】
また、副収納部４０には、副収納部４０内を、前後方向において区画する区画壁４５が配設され、
平面視において、前仕切部２２と区画壁４５との間の領域が、電子機器収納部４６とされている。
【００３８】
これによれば、主収納部２０と、副収納部４０の電子機器収納部４６以外の領域で、外部からの衝撃を低減させることが可能となるので、電子機器Ｅの破損を防止することに寄与する。
【００３９】
また、区画壁４５内と前仕切部２２内には、緩衝材としての軟質ウレタンフォーム２２ａ、４５ａが配設されている。
【００４０】
これによれば、緩衝材が電子機器Ｅのディスプレイと対向することになるので、電子機器Ｅのディスプレイを保護することが可能となる。
【００４１】
本考案のランドセルは上記構成に限定されるものではない。即ち、本考案の要旨を逸脱しない限り各種の設計変更等が可能である。以下に、変形した態様を例示する。
【００４２】
例えば、背部２１の芯部材と、前仕切部２２の芯部材を、同じ剛性の部材、例えば、発泡ポリプロピレンとすることができる。このような構成とすれば、剛性が要求される背部２１内に配される芯部材と、同じ剛性を有する芯部材を、前仕切部２２内に配することで、主収納部２０に収納される教科書、ノート等からの衝撃を低減させることができる。
【００４３】
また、緩衝材は、軟質ウレタンフォーム以外の他の部材を用いることができる。
【００４４】
また、平面視において、前仕切部２２と区画壁４５との間の領域を、電子機器収納部４６としたが、区画壁４５と副前部４２との間の領域を、電子機器収納部４６とすることも可能である。この場合、副前部４２内に緩衝材を配設することができる。
【符号の説明】
【００４５】
１０  ランドセル
２０  主収納部
２１  背部
２２  前仕切部
２２ａ  軟質ウレタンフォーム
２３  主襠部
２４  底部
４０  副収納部
４２  副前部
４３  副襠部
４４  副底部
４５  区画壁
４５ａ  軟質ウレタンフォーム
４６  電子機器収納部
Ｅ  電子機器
【図１】
0003231994.tif 000003
【図２】
0003231994.tif 000004
【図３】
0003231994.tif 000005